(57)【要約】【課題】必要な強度と軽量化の両立を図ると共に糸絡みの発生を抑制することができるトップガイドとそれを備えた釣竿とトップガイドのガイドフレームを提供する。【解決手段】ガイドフレーム３は、一つの部材として一体的に形成され、竿体１が挿入される竿挿入孔１３を有する取付部１１と、ガイドリング２が装着されるリング装着孔１０を有するリング保持部１２とを備え、ガイドリング２の中心線５０は、竿挿入孔１３の中心線５１に対して、前側が竿挿入孔１３の中心線５１に近づく方向に傾斜しており、竿挿入孔１３の中心線５１とガイドリング２の中心線５０を通る平面でガイドフレーム３を切断したときの断面視において、リング保持部１２の全周のうち取付部１１から最も遠い部分である最上部３０における径方向の肉厚は、後面１２ｂ側が相対的に薄く前面１２ａ側が相対的に厚い。【選択図】図８
2019097540.tif 000002
【特許請求の範囲】
【請求項１】
竿体の先端部に装着されるトップガイドであって、
釣糸を案内するためのガイドリングと、該ガイドリングを保持するための一つの部材として一体的に形成されたガイドフレームとを備え、
ガイドフレームは、竿体が挿入される竿挿入孔を有する取付部と、ガイドリングが装着されるリング装着孔を有するリング保持部とを備え、
ガイドリングの中心線は、竿挿入孔の中心線に対して、前側が竿挿入孔の中心線に近づく方向に傾斜しており、
竿挿入孔の中心線とガイドリングの中心線を通る平面でガイドフレームを切断したときの断面視において、リング保持部の全周のうち取付部から最も遠い部分である最上部における径方向の肉厚は、後面側が相対的に薄く前面側が相対的に厚いことを特徴とするトップガイド。
【請求項２】
リング保持部の最上部の径方向の肉厚は、後面側から前面側に向けて徐々に増加している請求項１記載のトップガイド。
【請求項３】
リング保持部の最上部における前面側と後面側の径方向の肉厚の差は、最上部から周方向の両側に向けて徐々に減少し、左右両側部において前面側の径方向の肉厚と後面側の径方向の肉厚は略等しい請求項１又は２記載のトップガイド。
【請求項４】
竿挿入孔の中心線とガイドリングの中心線を通る平面でガイドフレームを切断したときの断面視において、リング保持部の最上部の外周面は、竿挿入孔の中心線と平行である請求項１乃至３の何れかに記載のトップガイド。
【請求項５】
請求項１乃至４の何れかに記載のトップガイドを備えた釣竿。
【請求項６】
竿体の先端部に装着されるトップガイドのガイドフレームであって、
一つの部材として一体的に形成された構成であって、竿体が挿入される竿挿入孔を有する取付部と、ガイドリングが装着されるリング装着孔を有するリング保持部とを備えており、
リング装着孔の中心線は、竿挿入孔の中心線に対して、前側が竿挿入孔の中心線に近づく方向に傾斜しており、
竿挿入孔の中心線とリング装着孔の中心線を通る平面で切断したときの断面視において、リング保持部の全周のうち取付部から最も遠い部分である最上部における径方向の肉厚は、後面側が相対的に薄く前面側が相対的に厚いことを特徴とするトップガイドのガイドフレーム。
【発明の詳細な説明】
【技術分野】
【０００１】
本発明は、釣竿の先端に装着されるトップガイドと、それを備えた釣竿と、トップガイドのガイドフレームに関する。
【背景技術】
【０００２】
釣糸を案内するための釣糸ガイドが釣竿の外側に装着された、いわゆる外ガイド方式の釣竿は、例えば磯竿等において多様されている。この釣糸ガイドには釣糸から力が作用し、特に、最も穂先に位置するトップガイドには大きな力が作用する。従って、ガイドリングを保持するガイドフレームには強度が求められる。一方、トップガイドは穂先の重量に大きく影響を及ぼすことから、必要な強度を確保しつつも軽さが求められる。また、トップガイドでは特に糸絡みが発生しやすいため、糸絡みの発生を抑制することも重要となる。
【先行技術文献】
【特許文献】
【０００３】
【特許文献１】特開平９−１３１１４９号公報
【特許文献２】特開２０１７−２９０７４号公報
【発明の概要】
【発明が解決しようとする課題】
【０００４】
それゆえに本発明は、必要な強度と軽量化の両立を図ると共に糸絡みの発生を抑制することができるトップガイドとそれを備えた釣竿とトップガイドのガイドフレームを提供することを課題とする。
【課題を解決するための手段】
【０００５】
本発明は上記課題を解決すべくなされたものであって、本発明に係るトップガイドは、竿体の先端部に装着されるトップガイドであって、釣糸を案内するためのガイドリングと、該ガイドリングを保持するための一つの部材として一体的に形成されたガイドフレームとを備え、ガイドフレームは、竿体が挿入される竿挿入孔を有する取付部と、ガイドリングが装着されるリング装着孔を有するリング保持部とを備え、ガイドリングの中心線は、竿挿入孔の中心線に対して、前側が竿挿入孔の中心線に近づく方向に傾斜しており、竿挿入孔の中心線とガイドリングの中心線を通る平面でガイドフレームを切断したときの断面視において、リング保持部の全周のうち取付部から最も遠い部分である最上部における径方向の肉厚は、後面側が相対的に薄く前面側が相対的に厚いことを特徴とする。尚、竿先側を前側とし、竿尻側を後側とする。
【０００６】
該構成のトップガイドにあっては、ガイドフレームが一つの部材として一体的に形成された構成となっている。そのため、ガイドフレームの強度を確保しつつ軽量化を図ることができる。また、ガイドリングが前側に傾倒していてガイドフレームのリング保持部も前側に傾倒しているので、糸絡みが起こりにくい。更に、ガイドフレームのリング保持部の最上部における径方向の肉厚が前後方向に沿って一定ではなく、前面側が相対的に厚く形成されているため、リング保持部の最上部における強度をその前面側の肉厚によって確保することができる。一方、リング保持部の最上部の後面側の径方向の肉厚が相対的に薄く形成されているので、リング保持部の最上部を前後方向の全長に亘って厚くする構成に比して軽量化できる。また、リング保持部の最上部の後面側の径方向の肉厚が相対的に薄く形成されているので、リング保持部の最上部に釣糸が後側から当たりにくくなり、釣糸が絡みにくくなる。
【０００７】
特に、リング保持部の最上部の径方向の肉厚は、後面側から前面側に向けて徐々に増加していることが好ましく、強度を容易に確保でき、糸絡みの発生を抑制できる。
【０００８】
また、リング保持部の最上部における前面側と後面側の径方向の肉厚の差は、最上部から周方向の両側に向けて徐々に減少し、左右両側部において前面側の径方向の肉厚と後面側の径方向の肉厚は略等しいことが好ましく、リング保持部の最上部近傍の強度を確保しつつ軽量化することができる。
【０００９】
また、竿挿入孔の中心線とガイドリングの中心線を通る平面でガイドフレームを切断したときの断面視において、リング保持部の最上部の外周面は、竿挿入孔の中心線と平行であることが好ましく、リング保持部の最上部の外周面に釣糸が後側から当たりにくくなって糸抜けが良好となり、糸絡みの発生をより一層抑制できる。
【００１０】
また、本発明に係る釣竿は、上述のようなトップガイドを備えたものである。
【００１１】
また、本発明に係るトップガイドのガイドフレームは、竿体の先端部に装着されるトップガイドのガイドフレームであって、一つの部材として一体的に形成された構成であって、竿体が挿入される竿挿入孔を有する取付部と、ガイドリングが装着されるリング装着孔を有するリング保持部とを備えており、リング装着孔の中心線は、竿挿入孔の中心線に対して、前側が竿挿入孔の中心線に近づく方向に傾斜しており、竿挿入孔の中心線とリング装着孔の中心線を通る平面で切断したときの断面視において、リング保持部の全周のうち取付部から最も遠い部分である最上部における径方向の肉厚は、後面側が相対的に薄く前面側が相対的に厚いことを特徴とする。
【発明の効果】
【００１２】
以上のように、ガイドフレームが一つの部材として一体的に形成され、ガイドリングが前側に傾倒した構成であって、しかも、リング保持部の最上部における径方向の肉厚が後面側が相対的に薄く前面側が相対的に厚くなっているので、必要な強度と軽量化の両立を図ると共に糸絡みの発生を抑制することができる。
【図面の簡単な説明】
【００１３】
【図１】本発明の一実施形態におけるトップガイドの斜視図。
【図２】同トップガイドの斜視図。
【図３】同トップガイドを前方から竿取付孔の軸線方向に沿って見た正面図。
【図４】同トップガイドを後方から竿取付孔の軸線方向に沿って見た背面図。
【図５】同トップガイドの側面図。
【図６】同トップガイドの平面図。
【図７】同トップガイドの底面図。
【図８】図３のＡ−Ａ断面図。
【図９】図３のＢ−Ｂ断面図。
【発明を実施するための形態】
【００１４】
以下、本発明の一実施形態に係るトップガイドについて図１〜図９を参酌しつつ説明する。本実施形態におけるトップガイドは、釣竿の穂先先端部に装着されるもので、釣糸を直接案内するためのガイドリング２と、該ガイドリング２を保持するためのガイドフレーム３とを備えている。釣竿の種類は特には限定されず、並継ぎ等の継ぎ竿であってもよいし、振出竿であってもよいが、特に振出竿に好適である。
【００１５】
トップガイドは、竿体１の先端部に装着される。竿体１は図８に二点鎖線で示している。竿体１の軸線方向は竿体１の中心線の方向であって、その方向を前後方向と称すると共に、竿先側を前側とし、竿尻側を後側とする。この前後方向は後述する竿挿入孔１３の中心線５１の方向である。また、竿体１に対してガイドリング２側を上側とし、それとは反対側を下側とする。また、図６のようにリング側から見た平面視において竿体１の軸線方向と直交する方向を左右方向とする。
【００１６】
＜ガイドリング２＞
ガイドリング２は、例えば円形の環状であるが、楕円形等であってもよい。ガイドリング２は、例えばＳｉＣ（シリコンカーバイト）に代表されるセラミック等の耐摩耗性に優れた硬質材料からなる。ガイドリング２の内周面で釣糸を案内する。ガイドリング２の外周面がガイドフレーム３に固定される。ガイドリング２の中心線５０は、前側が竿体１の中心線に近づく方向に傾斜している。即ち、ガイドリング２の中心線５０は、竿体１の中心線（竿挿入孔１３の中心線５１）に対して前側に所定角度傾斜しており、ガイドリング２は竿体１の中心線に対して前側に傾倒している。ガイドリング２の中心線５０が竿体１の中心線と平行である場合に対して、ガイドリング２は前側に例えば５度〜４０度傾斜している。
【００１７】
＜ガイドフレーム３＞
ガイドフレーム３は、竿体１に取り付けるための取付部１１と、ガイドリング２を保持するためのリング保持部１２とを備えている。ガイドフレーム３は、その全体が一つの部材として構成されており、従って、取付部１１とリング保持部１２は別々に形成された別部材ではなく一体的に形成された構成となっている。ガイドフレーム３は金属製であることが好ましく、特に鍛造により形成された鍛造品であることが好ましい。ガイドフレーム３の材質は、種々の金属であってよく、例えば、ステンレスやチタン（純チタンやチタン合金）を例示できる。特に、軽量化にはチタンが有利であり、トップガイドに適している。
【００１８】
＜取付部１１＞
取付部１１は竿体１が挿入される竿挿入孔１３を有している。取付部１１は、少なくとも後部が筒状であって、その内側に竿体１が挿入される。竿挿入孔１３は竿体１の軸線方向に沿って延びている。従って、竿挿入孔１３の中心線５１は竿体１の中心線と一致しており、竿挿入孔１３は前後方向に延びている。竿挿入孔１３はその直径に対して軸線方向の長さが長い。竿体１は竿挿入孔１３に後側から挿入される。従って、竿挿入孔１３は少なくとも後端が開口しており、後端開口部から竿体１が前側に向けて挿入されて取付部１１に接着固定される。竿挿入孔１３は少なくとも後端が開口しているものであればよく、前端も開口した両端開口の貫通孔の構成であってもよいが、本実施形態では非貫通の構成であって、その前端が閉塞されて後端のみが開口した前端閉塞後端開口の構成である。尚、竿挿入孔１３は鍛造によって同時形成されるが、鍛造によって形成した後に、後加工として竿挿入孔１３の壁面を切削加工してもよい。即ち、竿挿入孔１３の壁面は鍛造面であってもよいが、切削面であってもよい。
【００１９】
取付部１１の前端部であって竿挿入孔１３の前端部には閉鎖壁１４が形成されている。該閉鎖壁１４が竿挿入孔１３の前端部を閉鎖している。該閉鎖壁１４はガイドリング２よりも後側に位置している。竿挿入孔１３の前端部はガイドリング２よりも後側に位置しており、竿挿入孔１３の全体がガイドリング２よりも後側に位置している。閉鎖壁１４の前側には凹部１６が形成されている。該凹部１６は前側に開口しており、凹部１６と竿挿入孔１３は略同軸状にある。凹部１６は断面円形である。閉鎖壁１４は凹部１６と竿挿入孔１３との間に位置し、凹部１６と竿挿入孔１３とを区画している。凹部１６はガイドリング２の下側に位置し、ガイドフレーム３の前端下部に位置している。閉鎖壁１４が取付部１１とリング保持部１２の境界部分に形成されていることにより、その境界部分を効果的に補強できる。即ち、閉鎖壁１４は、取付部１１とリング保持部１２の境界部分を補強する補強壁として機能する。
【００２０】
取付部１１の後部の外周面の形状は、竿挿入孔１３の中心線５１と直交する切断面で切断したときの横断面視において円形状ではなく非円形状となっている。取付部１１の外周面のうち反リング側の位置である上部とリング側の位置である下部の二箇所に、互いに対向するようにしてＤカット面２０，２１が形成されている。取付部１１の外周面の上下二箇所にＤカット面２０，２１が形成されることにより、Ｄカット面２０，２１が形成された部分の肉厚は他の部分の肉厚よりも薄くなっている。そして、取付部１１の外周面にＤカット面２０，２１が形成されることにより、取付部１１の横断面形状は円形状ではなく非円形状となっている。取付部１１の外周面のうち、Ｄカット面２０，２１は、竿挿入孔１３の中心線５１からの距離が相対的に小さく、Ｄカット面２０，２１以外の部分は、竿挿入孔１３の中心線５１からの距離が相対的に大きい。下側のＤカット面２０は図２及び図７のように取付部１１の下部の略全長に亘って形成されている。上側のＤカット面２１は、図１及び図６のように、取付部１１の後部に形成されている。尚、取付部１１の後端面は、竿挿入孔１３の中心線５１に対して直交した垂直面となっている。
【００２１】
＜リング保持部１２＞
リング保持部１２は、取付部１１の前部から上側に向けて延設されている。リング保持部１２は、竿挿入孔１３に対してその径方向外側に離れていくように上側に向けて延びている。リング保持部１２は全体としては環状であるが、取付部１１と滑らかに連続している。リング保持部１２は、取付部１１の前端部から上側に向けて立ち上がっている。上述のようにガイドリング２が前側に所定角度傾倒していることから、リング保持部１２は竿挿入孔１３の中心線５１に対して直角に立ち上がっているのではなく前側に傾斜しつつ立ち上がっている。
【００２２】
リング保持部１２は、全体として環状であって、その内側にガイドリング２を装着するためのリング装着孔１０を有している。リング装着孔１０は貫通孔である。ガイドリング２はリング装着孔１０に挿入され、リング装着孔１０の壁面に接着により固定される。リング装着孔１０の中心線は、ガイドリング２の中心線５０と同一である。リング装着孔１０の中心線は、竿挿入孔１３の中心線５１と平行ではなく、竿挿入孔１３の中心線５１に対して所定角度傾斜している。リング装着孔１０の中心線は、前側が竿挿入孔１３の中心線５１に近づく方向に傾斜している。従って、リング装着孔１０の壁面に装着されたガイドリング２の中心線５０も竿挿入孔１３の中心線５１に対して所定角度傾斜している。
【００２３】
リング装着孔１０の壁面には、ガイドリング２の保持力を向上させるため、及び、接着剤の接着溜まりを確保するために、図９のように複数の凸部１０ａが形成されている。該凸部１０ａは、一定角度毎に形成されることが好ましい。リング装着孔１０の壁面に凸部１０ａを周方向に間隔をおいて複数形成することにより、ガイドリング２の外周面を複数の凸部１０ａによって確実に保持することができる。また、凸部１０ａを設けることでリング装着孔１０の壁面が周方向に凹凸形状となり、凸部１０ａ同士の間の凹部を接着溜まりとすることができる。従って、確実にガイドリング２をガイドフレーム３に接着固定することができる。尚、ガイドリング２の軸線方向の寸法はリング保持部１２の軸線方向の寸法よりも大きい。ガイドリング２の前面２ａはリング保持部１２の前面１２ａよりも前側に突出し、ガイドリング２の後面２ｂはリング保持部１２の後面１２ｂよりも後側に突出している。
【００２４】
図８は竿挿入孔１３の中心線５１とガイドリング２の中心線５０を通る平面でガイドフレーム３を切断したときの断面図である。この断面視において、リング保持部１２の最上部３０における径方向の肉厚は、後面１２ｂ側が相対的に薄く前面１２ａ側が相対的に厚くなっている。図８に、リング保持部１２の最上部３０における前面１２ａ側の径方向の肉厚を符号Ｔ１で示し、リング保持部１２の最上部３０における後面１２ｂ側の径方向の肉厚を符号Ｔ２で示している。ここで径方向とはリング保持部１２の径方向でありガイドリング２の径方向である。また、リング保持部１２の最上部３０は、リング保持部１２の全周のうち取付部１１あるいは竿挿入孔１３から最も遠い部分である。このリング保持部１２の最上部３０の径方向の肉厚は、後面１２ｂ側から前面１２ａ側に向けて徐々に増加している。また、図８に示す断面視において、リング保持部１２の最上部３０の外周面１２ｃは竿挿入孔１３の中心線５１と平行である。一方、リング保持部１２の最上部３０の内周面はリング装着孔１０の壁面であって竿挿入孔１３の中心線５１と平行ではなく傾斜している。従って、リング装着孔１０の中心線が竿挿入孔１３の中心線５１に対して傾斜している程度で、リング保持部１２の最上部３０の径方向の肉厚は後面１２ｂ側から前面１２ａ側に向けて徐々に増加している。
【００２５】
このようにリング保持部１２の最上部３０において、径方向の肉厚は前面１２ａ側で厚く後面１２ｂ側で薄くなっており、前面１２ａ側の径方向の肉厚Ｔ１と後面１２ｂ側の径方向の肉厚Ｔ２との間には差が生じている。この径方向の肉厚の差はリング保持部１２の全周に亘って生じているのではなく、最上部３０において最大となっていて、最上部３０から周方向の両側に向けて徐々に減少している。そして、図９のようにリング保持部１２の左右両側部３１において径方向の肉厚の差は略０となっており、リング保持部１２の左右両側部３１においては前面１２ａ側の径方向の肉厚Ｔ１と後面１２ｂ側の径方向の肉厚Ｔ２は略等しくなっている。リング保持部１２の前面１２ａ側の径方向の肉厚Ｔ１が最上部３０から左右両側部３１に向けて徐々に減少していくことで、前面１２ａ側と後面１２ｂ側の径方向の肉厚の差が左右両側部３１において解消されている。尚、リング保持部１２の最上部３０を０度位置としたとき、リング保持部１２の左右両側部３１は−９０度位置と＋９０度位置となる。このようにリング保持部１２の上側半周分のみにおいて前面１２ａ側と後面１２ｂ側との間で径方向の肉厚に差が生じている。
【００２６】
取付部１１とリング保持部１２の境界部分であって、リング保持部１２の前面１２ａの下側に位置するガイドフレーム３の前面下部は、上側から下側に向けて斜め後方に傾斜した傾斜面１７となっている。該傾斜面１７は、リング保持部１２の前面１２ａよりも更に傾斜している。傾斜面１７に上述の凹部１６が開口している。凹部１６の上側の部分がリング保持部１２の全周のうちの最下部３２となっている。また、リング保持部１２と取付部１１の外周面との間を面で連結するように補強壁部１５が左右一対形成されている。補強壁部１５は、リング保持部１２の左右両側部３１の後面１２ｂあるいは外周面１２ｃと取付部１１の外周面との間に形成されている。補強壁部１５は、リング保持部１２の左右両側部３１から後方に向けて延びており、補強壁部１５の上縁はリング保持部１２から取付部１１に向けて斜め下方に傾斜して延びている。補強壁部１５の上縁は、直線状に延びていてもよいが、本実施形態では下側凸に湾曲している。そして、図６及び図７のようにガイドフレーム３の平面視又は底面視における左右方向の寸法は、取付部１１の中途部からリング保持部１２にかけて徐々に大きくなっていて、前側に向けて幅広となっている。
【００２７】
以上のようなトップガイドにおいては、ガイドフレーム３が一つの部材として一体的に形成されているので、ガイドフレーム３の強度を確保しつつ軽量化することができる。特に、ガイドフレーム３が鍛造によって一体的に形成されているため、強度を確保しつつ薄肉化が可能であって、しかも、肉厚を変化させることも容易である。そのため、各部に最適な肉厚を持たせつつも軽量化を図ることができる。そして、ガイドフレーム３のリング保持部１２の最上部３０における径方向の肉厚が前面１２ａ側において厚くなっているので、リング保持部１２の最上部３０における強度をその前面１２ａ側の径方向の肉厚Ｔ１によって確保することができる。リング保持部１２の最上部３０は取付部１１から最も離れた部分であるため、釣糸からガイドリング２を介して大きな力が作用する。しかも、リング保持部１２の最上部３０は他の物体に最も当たりやすい箇所でもあり、特に、リング保持部１２の最上部３０の前面１２ａ側が他の物体に接触しやすく、リング保持部１２を前側に傾倒しているためそれが顕著である。そのリング保持部１２の最上部３０において前面１２ａ側の径方向の肉厚Ｔ１を厚肉化して増強しているので、リング保持部１２の最上部３０における強度を確実に確保することができる。従って、ガイドリング２をリング保持部１２の最上部３０においてしっかりと保持できる。
【００２８】
一方、リング保持部１２の最上部３０における径方向の肉厚が後面１２ｂ側において薄くなっているので、リング保持部１２の最上部３０の径方向の肉厚を前後方向の全長に亘って厚くする構成に比して軽量化することができる。更に、リング保持部１２の最上部３０の後面１２ｂ側の径方向の肉厚Ｔ２が相対的に薄く形成されているので、リング保持部１２の最上部３０の後面１２ｂに釣糸が当たりにくくなり、糸絡みが起こりにくくなる。また、ガイドリング２が前側に傾倒していてガイドフレーム３のリング保持部１２も前側に傾倒していることとも相まって、糸絡みの発生を効果的に抑制できる。しかも、リング保持部１２の最上部３０における外周面１２ｃが断面視において竿挿入孔１３の中心線５１と平行になっているので、リング保持部１２の最上部３０における外周面１２ｃにも釣糸が後側から当たりにくくなって糸抜けが良好になり、糸絡みの発生をより一層抑制できる。
【００２９】
更に、リング保持部１２の最上部３０の径方向の肉厚が後面１２ｂ側から前面１２ａ側に向けて徐々に増加しているので、強度の確保と糸絡みの発生を容易に両立させることができる。また、リング保持部１２の最上部３０における前面１２ａ側と後面１２ｂ側の径方向の肉厚の差が、最上部３０から周方向の両側に向けて徐々に減少していて、左右両側部３１において肉厚の差がほぼ解消されているので、リング保持部１２の上側半周部における強度を確保しつつリング保持部１２をより軽量化することができる。
【００３０】
尚、本実施形態におけるトップガイドを振出竿における穂先竿の先端部に装着した場合、Ｄカット面２０，２１によって取付部１１の後部の横断面形状が非円形状となっているので、竿収納時に二番竿の内側に穂先竿を収納する際にトップガイドの取付部１１の後部が二番竿の図示しない移動ガイドに当接して止まることになる。即ち、トップガイドの取付部１１の後部のうちＤカット面２０，２１が形成されていない厚肉の部分がストッパーとなって二番竿の移動ガイドに当接する。そのためトップガイドが二番竿の移動ガイドの孔に食い込まない。従って、次に振出竿を使用しようとして穂先竿を二番竿から引き出す際に、トップガイドと移動ガイドがスムーズに離反し、移動ガイドを後側に素早くスムーズに移動させて所定位置に固定することができる。このように取付部１１の後部外周面にＤカット面２０，２１を形成することにより、竿収納時におけるトップガイドと移動ガイドとの食い付きを防止でき、トップガイドと移動ガイドとの間の固着や塩がみの発生を防止できる。
【００３１】
また、取付部１１の下側にＤカット面２０が形成されているので、トップガイドの下側の左右方向の中心位置を容易に把握することができる。そのためトップガイドを竿体１の先端部に装着する際に、竿体１とトップガイドの向きを目視によって容易に揃えることができる。また、取付部１１の上側にもＤカット面２１が形成されているので、目視によるトップガイドと竿体１との周方向の位相合わせがより一層容易になる。更に、治具にトップガイドをセットする場合にも二箇所のＤカット面２０，２１を利用することでトップガイドの周方向の位置決めを容易に行うことができる。
【符号の説明】
【００３２】
１    竿体
２    ガイドリング
２ａ  前面
２ｂ  後面
３    ガイドフレーム
１０    リング装着孔
１０ａ  凸部
１１    取付部
１２    リング保持部
１２ａ  前面
１２ｂ  後面
１２ｃ  外周面
１３    竿挿入孔
１４    閉鎖壁
１５    補強壁部
１６    凹部
１７    傾斜面
２０    下側のＤカット面
２１    上側のＤカット面
３０    最上部
３１    左右の側部
３２    最下部
５０    ガイドリングの中心線
５１    竿挿入孔の中心線
【図１】
2019097540.tif 000003
【図２】
2019097540.tif 000004
【図３】
2019097540.tif 000005
【図４】
2019097540.tif 000006
【図５】
2019097540.tif 000007
【図６】
2019097540.tif 000008
【図７】
2019097540.tif 000009
【図８】
2019097540.tif 000010
【図９】
2019097540.tif 000011